(57)【要約】【課題】耐久性を向上させることができるヒンジ構造およびそれを備えた電子装置を提供する。【解決手段】ヒンジ構造１００は、第１の部材１１１と、軸方向Ａに間隔をあけて設けられた一方端面１１２ａおよび他方端面１１２ｂを有し、一方端面１１２ａから軸方向Ａに突出するように設けられた突起部１１３を有し、他方端面１１２ｂで第１の部材１１１と対向するように配置されており、第１の部材１１１に対して回動可能な第２の部材１１２とを有するヒンジピン１１０と、ヒンジピン１１０の第２の部材１１２の一部および突起部１１３と嵌合する凹部１２１を有するヒンジピン受け部１２０とを備えている。突起部１１３は第２の部材１１２の径方向Ｂに延びる第１表面部１１４を有している。凹部１２１は第１表面部１１４と係合可能な第２表面部１２２を有している。【選択図】図５
2014020390.tif 000002
【特許請求の範囲】
【請求項１】
第１の部材と、軸方向に間隔をあけて設けられた一方端面および他方端面を有し、前記一方端面から前記軸方向に突出するように設けられた突起部を有し、前記他方端面で前記第１の部材と対向するように配置されており、前記第１の部材に対して回動可能な第２の部材とを有するヒンジピンと、
前記ヒンジピンの前記第２の部材の一部および前記突起部と嵌合する凹部を有するヒンジピン受け部とを備え、
前記突起部は前記第２の部材の径方向に延びる第１表面部を有し、
前記凹部は前記第１表面部と係合可能な第２表面部を有する、ヒンジ構造。
【請求項２】
前記第１および第２表面部が係合することで、前記ヒンジピン受け部に対する前記第２の部材の回動を抑制するように構成した、請求項１に記載のヒンジ構造。
【請求項３】
前記第１表面部は、前記ピンジピンが前記軸方向を中心に右回転するときに前記第２表面部に当接する右回転当接面と、前記ヒンジピンが前記軸方向を中心に左回転するときに前記第２表面部に当接する左回転当接面とを含む、請求項１または２に記載のヒンジ構造。
【請求項４】
前記突起部は、前記右回転当接面を規定する部分と、前記左回転当接面を規定する部分とがつながるように構成されている、請求項３に記載のヒンジ構造。
【請求項５】
前記突起部は前記一方端面の中心に対して非対称形状を有する、請求項１〜４のいずれかに記載のヒンジ構造。
【請求項６】
前記凹部は前記突起部の一部を露出するように設けられている、請求項１〜５のいずれかに記載のヒンジ構造。
【請求項７】
請求項１〜６のいずれかに記載のヒンジ構造と、
前記ヒンジピンが取付けられた第１の筐体と、
前記ヒンジピン受け部が取付けられた第２の筐体とを備えた、電子装置。
【発明の詳細な説明】
【技術分野】
【０００１】
本発明は、ヒンジ構造および電子装置に関し、特に、ヒンジピンとヒンジピン受け部とを備えたヒンジ構造およびそれを備えた電子装置に関するものである。
【背景技術】
【０００２】
従来、折りたたみ型の電子装置などにおいて、複数のハウジングを回動可能に接続するヒンジ構造が用いられている。たとえば、特開２００９−３６２７９号公報（特許文献１）には、折りたたみ型の携帯電話機の上筐体と下筐体とを回動可能に接続するヒンジ構造が提案されている。
【先行技術文献】
【特許文献】
【０００３】
【特許文献１】特開２００９−３６２７９号公報
【発明の概要】
【発明が解決しようとする課題】
【０００４】
上記の公報に記載されたようなヒンジ構造では、上筐体を開閉する際にヒンジ構造に負荷がかかる。そのため、ヒンジ構造の耐久性を向上させることが求められる。この問題と同様の問題がヒンジ構造を用いてハウジングの一部を開閉可能な他のタイプの電子装置においても生じ得る。
【０００５】
本発明は、上記課題を鑑みてなされたものであり、その目的は、耐久性を向上させることができるヒンジ構造およびそれを備えた電子装置を提供することである。
【課題を解決するための手段】
【０００６】
本発明のヒンジ構造は、第１の部材と、軸方向に間隔をあけて設けられた一方端面および他方端面を有し、一方端面から軸方向に突出するように設けられた突起部を有し、他方端面で第１の部材と対向するように配置されており、第１の部材に対して回動可能な第２の部材とを有するヒンジピンと、ヒンジピンの第２の部材の一部および突起部と嵌合する凹部を有するヒンジピン受け部とを備えている。突起部は第２の部材の径方向に延びる第１表面部を有している。凹部は第１表面部と係合可能な第２表面部を有している。
【０００７】
本発明のヒンジ構造では、第２の部材の一部および突起部が凹部と嵌合する。このため、第１の部材に対して第２の部材を回動させる際にヒンジピン受け部にかかる負荷を第２の部材の一部および突起部と嵌合する凹部の各部に分散させることができる。これにより、ヒンジピン受け部にかかる負荷を分散させることでヒンジ構造の耐久性を向上させることができる。
【０００８】
また、一方端面から軸方向に突出し、第２の部材の径方向に延びる第１表面部と係合する第２表面部で、第１の部材に対して第２の部材を回動させる際の負荷を受けることができる。つまり、回動方向において第２表面部の面で負荷を受けることができるため、第２表面部にかかる負荷を分散させることができる。これにより、ヒンジピン受け部にかかる負荷を分散させることでヒンジ構造の耐久性を向上させることができる。
【０００９】
上記のヒンジ構造は、好ましくは、第１および第２表面部が係合することで、ヒンジピン受け部に対する第２の部材の回動を抑制するように構成されている。第１の表面部と第２表面部とが係合することで、ピンジピン受け部に対する第２の部材の回動を抑制するため、第２表面部で負荷を受けることができる。このため、回動方向において第２表面部の面で負荷を受けることができるため、第２表面部にかかる負荷を分散させることができる。
【００１０】
上記のヒンジ構造では、好ましくは、第１表面部は、ピンジピンが軸方向を中心に右回転するときに第２表面部に当接する右回転当接面と、ヒンジピンが軸方向を中心に左回転するときに第２表面部に当接する左回転当接面とを含んでいる。右回転当接面で右回転の際のピンジピン受け部にかかる負荷を分散させることができ、左回転当接面で左回転の際のヒンジピン受け部にかかる負荷を分散させることができる。このため、右回転および左回転のいずれにおいても、ヒンジピン受け部にかかる負荷を分散させることができる。
【００１１】
上記のヒンジ構造では、好ましくは、突起部は、右回転当接面を規定する部分と、左回転当接面を規定する部分とがつながるように構成されている。このため、右回転当接面を規定する部分と左回転当接面を規定する部分とがつながるように突起部を一体に形成することができる。これにより、突起部の強度を向上させることができる。
【００１２】
上記のヒンジ構造では、好ましくは、突起部は一方端面の中心に対して非対称形状を有している。このため、回動方向によって負荷が異なる場合でも、負荷にあわせて突起部を形成することができる。
【００１３】
上記のヒンジ構造では、好ましくは、凹部は突起部の一部を露出するように設けられている。このため、突起部と凹部との係合を視認することができる。したがって、突起部と凹部とを確実に嵌合させることができる。
【００１４】
本発明の電子装置は、上記のヒンジ構造と、ヒンジピンが取付けられた第１の筐体と、ヒンジピン受け部が取付けられた第２の筐体とを備えている。これにより、耐久性を向上させることができるヒンジ構造を備えた電子装置を提供することができる。
【発明の効果】
【００１５】
以上説明したように、本発明によれば、耐久性を向上させることができるヒンジ構造およびそれを備えた電子装置を提供することができる。
【図面の簡単な説明】
【００１６】
【図１】本発明の一実施の形態のゲーム装置の開いた状態を示す概略斜視図である。
【図２】本発明の一実施の形態のゲーム装置の閉じた状態を示す概略斜視図である。
【図３】本発明の一実施の形態のゲーム装置の全開した状態を示す概略斜視図である。
【図４】図１のヒンジ構造の拡大斜視図である。
【図５】本発明の一実施の形態のヒンジ構造のヒンジピン受け部側から見た概略分解斜視図である。
【図６】本発明の一実施の形態のヒンジ構造のヒンジピン側から見た概略分解斜視図である。
【図７】図５のＶＩＩ−ＶＩＩ線に沿う断面図であって、ヒンジピンがピンジピン受け部に挿入された状態を示す図である。
【図８】本発明の一実施の形態のヒンジピンの概略正面図である。
【図９】本発明の一実施の形態のヒンジピンの概略上面図である。
【図１０】本発明の一実施の形態のヒンジ構造が下側フロントパーツに取付けられた状態を示す概略斜視図である。
【図１１】図１０のＰ部の拡大図である。
【図１２】図１１のＸＩＩ−ＸＩＩ線に沿う概略断面図である。
【図１３】本発明の一実施の形態のヒンジ構造において第１の部材が右回転した状態を示す概略斜視図である。
【図１４】本発明の一実施の形態のヒンジ構造において第１の部材が左回転した状態を示す概略斜視図である。
【図１５】本発明の一実施の形態の変形例のヒンジ構造の概略斜視図である。
【発明を実施するための形態】
【００１７】
以下、本発明の一実施の形態について図に基づいて説明する。
最初に本発明の一実施の形態のゲーム装置の構成について説明する。本実施の形態では本発明が適用される一例としてヒンジ構造がゲーム装置に適用される場合について説明する。
【００１８】
図１〜図３を参照して、ゲーム装置１は携帯型のゲーム装置である。ゲーム装置１は折りたたみ可能に構成されている。ゲーム装置１は、下側ハウジング１０と、上側ハウジング２０と、ヒンジ構造１００とを主に有している。下側ハウジング１０と上側ハウジング２０とはヒンジ構造１００によって開閉可能（折りたたみ可能）に接続されている。
【００１９】
ゲーム装置１は、下側ハウジング１０と上側ハウジング２０とがヒンジ構造１００によって開閉することで、図１に示す開いた状態（開状態）と、図２に示す閉じた状態と（閉状態）と、図３に示す全開した状態（全開状態）とになり得るように構成されている。下側ハウジング１０の主面１０ａと上側ハウジング２０の主面２０ａとは互いに、開状態ではたとえば１５５度の角度で配置されており、閉状態ではたとえば０度の角度で配置されており、全開状態ではたとえば１８０度の角度で配置されている。下側ハウジング１０の主面１０ａおよび上側ハウジング２０の主面２０ａは、開状態および全開状態で外側に位置し、閉状態では外側に位置しない。
【００２０】
下側ハウジング１０は、下側フロントパーツ１１と、下側リアパーツ１２と、下側ＬＣＤ（Ｌｉｑｕｉｄ  Ｃｒｙｓｔａｌ  Ｄｉｓｐｌａｙ：液晶表示装置）１３と、タッチパネル１４と、十字キー１５ａと、アナログキー１５ｂと、各操作ボタン１５ｃ〜１５ｇと、電源ボタン１５ｈと、セレクトボタン１５ｉと、ＨＯＭＥボタン１５ｊと、スタートボタン１５ｋと、無線スイッチ１６と、イヤホンジャック１７と、各ＬＥＤ１８ａ〜１８ｄ（Ｌｉｇｈｔ  Ｅｍｉｔｔｉｎｇ  Ｄｉｏｄｅ）とを主に有している。
【００２１】
下側フロントパーツ１１は下側ハウジング１０の主面１０ａおよび前側面を構成している。下側リアパーツ１２は下側ハウジング１０の背面および後側面を構成している。下側ハウジング１０の主面１０ａに下側ＬＣＤ１３、タッチパネル１４、十字キー１５ａ、アナログキー１５ｂ、各操作ボタン１５ｃ〜１５ｆ、電源ボタン１５ｈ、セレクトボタン１５ｉ、ＨＯＭＥボタン１５ｊ、スタートボタン１５ｋが配置されている。下側ハウジング１０の右側面に無線スイッチ１６、ＬＥＤ１８ａが配置され、正面にイヤホンジャック１７、ＬＥＤ１８ｂ、１８ｃが配置され、背面に操作ボタン１５ｇが配置されている。なお後述する下側ハウジング１０の下側突起部１１ａ１にＬＥＤ１８ｄが配置されている。
【００２２】
また、下側ハウジング１０は、図示しないゲームカードユニット、ＳＤカードユニット、タッチペンホルダ、電源コネクタ、クレードル接続端子、音量ボリュームスイッチ等を有している。下側ハウジング１０の背面にゲームカードユニット、ＳＤカードユニット、タッチペンホルダ、電源コネクタ、クレードル接続端子が配置され、左側面に音量ボリュームスイッチが配置されている。さらに、下側ハウジング１０は、内部に図示しない無線通信モジュール、マイク、バッテリ、情報処理部等を有している。
【００２３】
上側ハウジング２０は、上側フロントパーツ２１と、上側リアパーツ２２と、上側ＬＣＤ２３と、内側撮像部２４と、外側撮像部２５と、視差量調整スイッチ２６と、音抜き孔２７と、ＬＥＤ２８とを主に有している。上側フロントパーツ２１は上側ハウジング２０の主面２０ａを構成している。上側リアパーツ２２は上側ハウジング２０の背面および側面を構成している。
【００２４】
上側ハウジング２０の主面２０ａに上側ＬＣＤ２３、内側撮像部２４、音抜き孔２７が配置されている。上側ハウジング２０の背面に２つの外側撮像部２５、ＬＥＤ２８が配置されている。上側ハウジング２０の主面２０ａと右側面との角部に視差量調整スイッチ２６が配置されている。また、上側ハウジング２０は、内部に図示しないスピーカ等を有している。
【００２５】
下側ハウジング１０は、上側長辺部分の両端部において下側ハウジング１０の主面１０ａに対して垂直な方向に突起する下側突起部１１ａ１および１１ａ２を有している。下側突起部１１ａ１および１１ａ２は下側フロントパーツ１１において下側リアパーツ１２と反対方向に突起するように設けられている。上側ハウジング２０は、下側長辺部分の両端部を除く部分において、上側ハウジング２０の下側面から下側面に垂直な方向に突起する上側突起部２１ａを有している。上側突起部２１ａは上側ハウジング２０の主面２０ａに沿って延びるように設けられている。
【００２６】
下側ハウジング１０の下側突起部１１ａ１および１１ａ２と上側ハウジング２０の上側突起部２１ａとがヒンジ構造１００によって連結されることによって、下側ハウジング１０と上側ハウジング２０とが折りたたみ可能に接続されている。図４に示すヒンジ構造１００が図１に示す下側突起部１１ａ１および上側突起部２１ａの内側に収容されている。
【００２７】
図１および図４を参照して、ヒンジ構造１００は下側ハウジング１０と上側ハウジング２０とを開閉可能に連結している。ヒンジ構造１００は、ヒンジピン１１０と、ヒンジピン受け部１２０とを有している。ヒンジピン１１０は、上側ハウジング（第１の筐体）２０の上側フロントパーツ２１の上側突起部２１ａに取付けられている。ヒンジピン受け部１２０は、下側ハウジング（第２の筐体）１０の下側フロントパーツ１１の下側突起部１１ａ１に取付けられている。
【００２８】
図５および図６を参照して、ヒンジピン１１０は、第１の部材１１１と、第２の部材１１２とを有している。ヒンジピン１１０は略円柱形状を有している。第２の部材１１２は軸方向Ａに間隔をあけて設けられた一方端面１１２ａおよび他方端面１１２ｂを有している。第２の部材１１２は、一方端面１１２ａから軸方向Ａに突出するように設けられた突起部１１３を有している。第２の部材１１２は、他方端面１１２ｂで第１の部材１１１と対向するように配置されている。第２の部材１１２は、第１の部材１１１に対して回動可能に構成されている。ヒンジピン１１０の外周面は２つの円弧部１１５と、２つの円弧部１１５をつなぐ２つの平面部１１６とを有している。
【００２９】
２つの円弧部１１５および２つの平面部１１６は、第１の部材１１１と第２の部材１１２との両方に形成されている。第２の部材１１２の平面部１１６は、後述する直線状内周部１２３ｂと嵌合することで、第２の部材１１２の回動時に回動を抑制するように構成されている。
【００３０】
ヒンジピン受け部１２０は、ヒンジピン１１０の第２の部材１１２の一部および突起部１１３と嵌合する凹部１２１を有している。突起部１１３は第２の部材１１２の径方向Ｂに延びる第１表面部１１４を有している。径方向Ｂは第２の部材１１２の外周方向以外の方向である。凹部１２１は第１表面部１１４と係合可能な第２表面部１２２を有している。
【００３１】
ヒンジ構造１００は、第１表面部１１４および第２表面部１２２が係合することで、ヒンジピン受け部１２０に対する第２の部材１１２の回動を抑制するように構成されている。
【００３２】
ヒンジピン受け部１２０の凹部１２１は、第１凹部１２３と、第１凹部１２３に連通する第２凹部１２４とを有している。第１凹部１２３は円弧状内周部１２３ａと、直線状内周部１２３ｂとを有している。ヒンジピン受け部１２０は、凹部１２１の一部が設けられた突出部１２５と、突出部１２５と凹部１２１に対して反対側に配置されたストッパ部１２６と、外壁部１２７と、外壁部１２７で囲まれた空間１２８とを有している。ヒンジピン１１０がヒンジピン受け部１２０に挿入された状態において、空間１２８にヒンジピン１１０の突起部１１３が露出する。
【００３３】
ヒンジピン１１０が凹部１２１に挿入された状態で、凹部１２１はヒンジピン１１０と嵌合している。具体的には、凹部１２１に第２の部材１１２の一部および突起部１１３が嵌合している。第１凹部１２３に第２の部材１１２の先端部が嵌合しており、第２凹部１２４に突起部１１３が嵌合している。第２の部材１１２の円弧部１１５が第１凹部１２３の円弧状内周部１２３ａと嵌合しており、第２の部材１１２の平面部１１６が第１凹部１２３の直線状内周部１２３ｂと嵌合している。
【００３４】
図７を参照して、突起部１１３の第１表面部１１４は、右回転当接面ＲＳ１と、左回転当接面ＬＳ１とを有している。また、凹部１２１の第２表面部１２２は、右回転当接面ＲＳ２と、左回転当接面ＬＳ２とを有している。右回転当接面ＲＳ１はヒンジピン１１０が軸方向Ａを中心に右回転（図５中矢印Ｒ方向回転）するときに右回転当接面ＲＳ２に当接する面である。左回転当接面ＬＳ１はヒンジピン１１０が軸方向Ａを中心に左回転（図５中矢印Ｌ方向回転）するときに左回転当接面ＬＳ２に当接する面である。
【００３５】
右回転当接面ＲＳ１と左回転当接面ＬＳ１とは、一方端面１１２ａの中心Ｏを挟んで径方向Ｂに配置されている。右回転当接面ＲＳ１と左回転当接面ＬＳ１とは連続的に形成されておらず、それぞれの第２表面部１２２の右回転当接面ＲＳ２および左回転当接面ＬＳ２と当接する面の長さが小さくなっている。これにより、右回転当接面ＲＳ１と左回転当接面ＬＳ１とが直線状に形成されている場合に比べて、第２表面部１２２と当接する面でのがたつきを小さくすることができる。
【００３６】
突起部１１３は、右回転当接面ＲＳ１を規定する部分と、左回転当接面ＬＳ１を規定する部分とがつながるように構成されている。突起部１１３は、一体に形成されている。突起部１１３は本実施の形態では一方端面１１２ａにおいてＵ字形状を有するように形成されている。
【００３７】
突起部１１３は一方端面１１２ａの中心Ｏに対して非対称形状を有している。本実施の形態では、突起部１１３は、右回転当接面ＲＳ１が左回転当接面ＬＳ１よりも小さくなるように形成されている。
【００３８】
凹部１２１はヒンジピン１１０がヒンジピン受け部１２０に挿入された状態において、ヒンジピン１１０の突起部１１３の一部を露出するように設けられている。突起部１１３はその側面の一部が第２の部材１１２の外周面に沿うように形成されている。
【００３９】
図８および図９を参照して、ヒンジピン１１０の構成についてさらに詳しく説明する。なお、図４〜図６では見やすくするため、ヒンジピン１１０は一部簡略化して示されており、次に説明するスプリング１１１ａおよびキャッチ１１１ｂなどが簡略化されている。ヒンジピン１１０では、第１の部材１１１はスプリング１１１ａと、キャッチ１１１ｂとを有している。第２の部材１１２はディスク１１２ｃを有している。スプリング１１１ａによって付勢されたキャッチ１１１ｂとディスク１１２ｃとにボール３０が挟まれた状態で、ピン３１により第１の部材１１１と第２の部材１１２とが回動可能に固定されている。
【００４０】
ディスク１１２ｃには、キャッチ１１１ｂと対向する部分にボール３０を係止可能な穴が３つ形成されており、この穴にボール３０が係止されることで第１の部材１１１の第２の部材１１２に対する回転角度が保持される。３つの穴は、図１〜３に示すゲーム装置１の開状態、閉状態、全開状態にあわせて形成されている。これにより、ヒンジピン１１０を上側ハウジング２０および下側ハウジング１０に組み込み、第１の部材１１１を第２の部材１１２に対して回動させた際に、ゲーム装置１の開状態、閉状態、全開状態で上側ハウジング２０を下側ハウジング１０に対して係止させることができる。
【００４１】
図１０および図１１を参照して、ヒンジピン受け部１２０は、下側フロントパーツ１１の係合凹部１１ｂに突出部１２５（図５参照）側から挿入されている。下側フロントパーツ１１にストッパ部１２６が係止されることでヒンジピン受け部１２０の位置が調整されている。
【００４２】
図１２を参照して、ヒンジピン１１０は上側ハウジング２０の上側フロントパーツ２１の上側突起部２１ａの係合孔２１ｂに挿入され、嵌合している。これにより、ヒンジピン１１０は係合孔２１ｂに固定されている。なお、ヒンジピン１１０の第１の部材１１１と第２の部材１１２とは止め具１４０で固定されている。
【００４３】
ヒンジピン受け部１２０は下側ハウジング１０の下側フロントパーツ１１の下側突起部１１ａ１の係合凹部１１ｂに挿入され、嵌合している。またヒンジピン受け部１２０は係合部材１５０で下側突起部１１ａ１に固定されている。このようにしてヒンジピン受け部１２０は係合凹部１１ｂに固定されている。
【００４４】
ヒンジピン１１０が係合孔２１ｂに固定され、ヒンジピン受け部１２０が係合凹部１１ｂに固定されているため、ヒンジピン１１０の第１の部材１１１を第２の部材１１２に対して回動させることにより、下側ハウジング１０と上側ハウジング２０とを相体的に回動させることができる。
【００４５】
次に、本実施の形態のヒンジ構造１００およびそれを備えたゲーム装置１の動作について説明する。再び図５を参照して、ヒンジピン受け部１２０に嵌合された第２の部材１１２に対して第１の部材１１１が回動する。図５中矢印Ｒ方向に第１の部材１１１を回転させることによってヒンジ構造１００は図１３に示す状態となる。この場合、ゲーム装置１は、開状態から閉状態に移行する。また、図５中矢印Ｌ方向に第１の部材１１１を回転させることによってヒンジ構造１００は図１４に示す状態となる。この場合、ゲーム装置１は、開状態から全開状態に移行する。
【００４６】
第１表面部１１４および第２表面部１２２は互いに当接することで、第１の部材１１１に対して第２の部材１１２を回動させる際にヒンジピン受け部１２０にかかる負荷の一部を受けることができる。より具体的には、第１の部材１１１に対して第２の部材１１２を回動させる際、例えば開状態に移行する際および全開状態に移行する際には、第２の部材１１２の平面部１１６にトルクが働き、その結果当該平面部１１６と接するヒンジピン受け部１２０の直線状内周部１２３ｂに負荷がかかる。これに加えて、第１表面部１１４の当接面にもトルクが働き、当該当接面と接する第２表面部１２２でも負荷を受けることになる。これにより、回動時にヒンジピン受け部１２０にかかる負荷が分散される。本願の第１表面部１１４と第２表面部１２２とが当接する面においては、当該面と力のかかる方向とが垂直となるため、当該面の特定の箇所に集中させることなく負荷を受けることができる。
【００４７】
なお、上記では突起部１１３がＵ字形状を有するように形成されている場合について説明したが、突起部１１３の形状はこれに限定されない。図１５を参照して、本実施の形態の変形例のヒンジ構造では、突起部１１３は半円形状を有するように形成されている。
【００４８】
次に、本実施の形態の作用効果について説明する。
本実施の形態のヒンジ構造１００では、第２の部材１１２の一部および突起部１１３が凹部１２１と嵌合する。このため、第１の部材１１１に対して第２の部材１１２を回動させる際にヒンジピン受け部１２０にかかる負荷を第２の部材１１２の一部および突起部１１３と嵌合する凹部１２１の各部に分散させることができる。これにより、ヒンジピン受け部１２０にかかる負荷を分散させることでヒンジ構造１００の耐久性を向上させることができる。
【００４９】
また、一方端面から軸方向に突出し、第２の部材の径方向に延びる第１表面部と係合する第２表面部１２２で、第１の部材１１１に対して第２の部材１１２を回動させる際の負荷を受けることができる。つまり、回動方向において第２表面部１２２の面で負荷を受けることができるため、第２表面部１２２にかかる負荷を分散させることができる。これにより、ヒンジピン受け部１２０にかかる負荷を分散させることでヒンジ構造１００の耐久性を向上させることができる。
【００５０】
本実施の形態のヒンジ構造１００では、第１表面部１１４と第２表面部１２２とが係合することで、ピンジピン受け部１２０に対する第２の部材１１２の回動を抑制するため、第２表面部１２２で負荷を受けることができる。このため、回動方向において第２表面部１２２の面で負荷を受けることができるため、第２表面部１２２にかかる負荷を分散させることができる。
【００５１】
本実施の形態のヒンジ構造１００では、右回転当接面ＲＳで右回転の際のピンジピン受け部１２０にかかる負荷を分散させることができ、左回転当接面ＬＳで左回転の際のヒンジピン受け部１２０にかかる負荷を分散させることができる。このため、右回転および左回転のいずれにおいても、ヒンジピン受け部１２０にかかる負荷を分散させることができる。
【００５２】
本実施の形態のヒンジ構造１００では、右回転当接面ＲＳを規定する部分と左回転当接面ＬＳを規定する部分とがつながるように突起部１１３を一体に形成することができる。これにより、突起部１１３の強度を向上させることができる。
【００５３】
本実施の形態のヒンジ構造１００では、突起部１１３は一方端面１１２ａの中心に対して非対称形状を有しているため、回動方向によって負荷が異なる場合でも、負荷にあわせて突起部を形成することができる。
【００５４】
本実施の形態のヒンジ構造１００では、凹部１２１は突起部１１３の一部を露出するように設けられているため、突起部１１３と凹部１２１との係合を視認することができる。したがって、突起部１１３と凹部１２１とを確実に嵌合させることができる。
【００５５】
本実施の形態のゲーム装置１は、上記のヒンジ構造１００と、ヒンジピン１１０が取付けられた上側ハウジング２０と、ヒンジピン受け部が取付けられた下側ハウジング１０とを備えている。これにより、耐久性を向上させることができるヒンジ構造１００を備えたゲーム装置１を提供することができる。
【００５６】
本発明のヒンジ構造は複数のハウジングをヒンジ構造で連結する様々な電子装置に適用可能である。電子装置としては、たとえば、上記のゲーム装置の他、携帯電話機、ＰＤＡ（Ｐｅｒｓｏｎａｌ  Ｄｉｇｉｔａｌ  Ａｓｓｉｓｔａｎｔ）、パーソナルコンピュータなどが挙げられる。
【００５７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５８】
本発明は、ヒンジピンとヒンジピン受け部とを備えたヒンジ構造およびそれを備えた電子装置に関するものである。
【符号の説明】
【００５９】
１  ゲーム装置、１０  下側ハウジング、１０ａ  主面、１０ｂ  下側部品ユニット、１１  下側フロントパーツ、１１ａ１，１１ａ２  下側突起部、１１ｂ  係合凹部、１２  下側リアパーツ、１３  下側ＬＣＤ、１４  タッチパネル、１５ａ  十字キー、１５ｂ  アナログキー、１５ｃ〜１５ｇ  操作ボタン、１５ｈ  電源ボタン、１５ｉ  セレクトボタン、１５ｊ  ＨＯＭＥボタン、１５ｋ  スタートボタン、１６  無線スイッチ、１７  イヤホンジャック、２０  上側ハウジング、２０ａ  主面、２０ｂ  上側部品ユニット、２１  上側フロントパーツ、２１ａ  上側突起部、２１ｂ  係合孔、２２  上側リアパーツ、２３  上側ＬＣＤ、２４  内側撮像部、２５  外側撮像部、２６  視差量調整スイッチ、２７  音抜き孔、１００  ヒンジ構造、１１０  ヒンジピン、１１１  第１の部材、１１１ａ  スプリング、１１１ｂ  キャッチ、１１２  第２の部材、１１２ａ  一方端面、１１２ｂ  他方端面、１１２ｃ  ディスク、１１３  突起部、１１４  第１表面部、１１５  円弧部、１１６  平面部、１２０  ヒンジ受け部、１２１  凹部、１２２  第２表面部、１２３  第１凹部、１２３ａ  円弧状内周部、１２３ｂ  直線状内周部、１２４  第２凹部、１２５  突出部、１２６  ストッパ部、１２７  外壁部、１２８  空間、１３０  ボール、１４０  止め具、１５０  係合部材、Ａ  軸方向、Ｂ  径方向、ＬＳ１，ＬＳ２  左回転当接面、ＲＳ１，ＲＳ２  右回転当接面、Ｏ  中心。
【図１】
2014020390.tif 000003
【図２】
2014020390.tif 000004
【図３】
2014020390.tif 000005
【図４】
2014020390.tif 000006
【図５】
2014020390.tif 000007
【図６】
2014020390.tif 000008
【図７】
2014020390.tif 000009
【図８】
2014020390.tif 000010
【図９】
2014020390.tif 000011
【図１０】
2014020390.tif 000012
【図１１】
2014020390.tif 000013
【図１２】
2014020390.tif 000014
【図１３】
2014020390.tif 000015
【図１４】
2014020390.tif 000016
【図１５】
2014020390.tif 000017